(57)【要約】【課題】物理データチャネルを介して信号系列を受信する場合において、HARQによる伝送効率をさらに向上できる無線通信装置及び無線通信方法を提供する。【解決手段】無線基地局１００は、E-DPDCHを介して伝送される信号系列Ｂ１の送信元に対して信号系列Ｂ１の再送を要求する自動再送要求と、再送に伴って複数回受信した信号系列Ｂ１の合成処理とを含むハイブリッド自動再送要求を実行する。無線基地局１００は、E-DPDCHを介して受信した信号系列Ｂ１の逆拡散処理を実行するE-DPDCH逆拡散部１１３と、E-DPDCH逆拡散部１１３から出力された信号系列Ｂ１を格納するHARQバッファ１２１と、HARQバッファ１２１に格納された信号系列Ｂ１を用いて、合成処理を実行するHARQ制御部１２３とを備える。【選択図】図２
2010147865.tif 000002
【特許請求の範囲】
【請求項１】
物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信装置であって、
前記物理データチャネルを介して受信した前記信号系列の逆拡散処理を実行する逆拡散部と、
前記逆拡散部から出力された前記信号系列を格納するHARQバッファと、
前記HARQバッファに格納された前記信号系列を用いて、前記合成処理を実行するHARQ制御部と
を備える無線通信装置。
【請求項２】
前記逆拡散部は、
物理制御チャネルを介して受信した信号系列の逆拡散処理を実行する制御チャネル逆拡散部と、
前記制御チャネル逆拡散部の出力側と接続され、前記物理制御チャネルを介して受信した前記信号系列の逆拡散処理の後において、前記物理データチャネルを介して受信した前記信号系列の逆拡散処理を、前記物理制御チャネルを介して受信した前記信号系列の一部を用いて実行するデータチャネル逆拡散部と
を含み、
前記HARQバッファは、前記データチャネル逆拡散部に入力される前の前記信号系列を格納する請求項１に記載の無線通信装置。
【請求項３】
物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信装置であって、
前記物理データチャネルを介して受信した前記信号系列のデインタリーブ処理を実行するデインタリーブ処理部と、
前記デインタリーブ処理部から出力された前記信号系列を格納するHARQバッファと、
前記HARQバッファに格納された前記信号系列を用いて、前記合成処理を実行するHARQ制御部と
を備える無線通信装置。
【請求項４】
前記デインタリーブ処理部の出力側と接続され、前記デインタリーブ処理の後において、前記デインタリーブ処理が実行された前記信号系列に対して、前記信号系列の繰り返し配置または穿孔の少なくとも何れかを行うことによって、前記信号系列の符号化前のビット数に前記信号系列を合わせるデレートマッチングを実行するデレートマッチング部を備え、
前記HARQバッファは、前記デインタリーブ処理部から出力され、前記デレートマッチング部に入力される前の前記信号系列を格納する請求項３に記載の無線通信装置。
【請求項５】
前記物理データチャネルを介して受信した前記信号系列の逆拡散処理を実行する逆拡散部を備え、
前記逆拡散部は、前記デインタリーブ処理よりも前において前記逆拡散処理を実行し、
前記HARQ制御部は、前記HARQバッファに格納されている、前記デインタリーブ処理部から出力され、前記デレートマッチング部に入力される前の前記信号系列の前記合成処理を実行する請求項３に記載の無線通信装置。
【請求項６】
物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信装置であって、
デインタリーブ処理が実行された前記信号系列に対して、前記信号系列の繰り返し配置または穿孔の少なくとも何れかを行うことによって、前記信号系列の符号化前のビット数に前記信号系列を合わせるデレートマッチングを実行するデレートマッチング部と、
前記デレートマッチング部から出力された前記信号系列、及び前記物理データチャネルの送信フォーマットを含む制御情報を格納するHARQバッファと、
前記HARQバッファに格納された前記信号系列を用いて、前記合成処理を実行するHARQ制御部と
を備え、
前記HARQ制御部は、所定の時間枠における信号系列の送信フォーマットである第１送信フォーマットと、前記所定の時間枠よりも前の時間枠における前記信号系列の送信フォーマットとである第２送信フォーマットとが異なる場合、
前記HARQバッファに格納されている前記信号系列に対して、前記第２送信フォーマットを用いて前記信号系列の符号化後のビット数に、前記HARQバッファに格納されている前記信号系列を合わせるレートマッチングを実行し、
前記レートマッチングが実行された前記信号系列を、前記所定の時間枠よりも前の時間枠において実行された前記デレートマッチング後の前記信号系列として、前記所定の時間枠において実行される前記デレートマッチング後の前記信号系列と前記合成処理を実行し、
前記第１送信フォーマットを用いて前記レートマッチングを実行する無線通信装置。
【請求項７】
前記デレートマッチング部と接続され、前記デインタリーブ処理の後において、前記デレートマッチングが実行された前記信号系列を復号するチャネル復号部を備え、
前記HARQバッファは、前記デレートマッチング部から出力され、前記チャネル復号部に入力される前の前記信号系列を格納する請求項６に記載の無線通信装置。
【請求項８】
物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信方法であって、
前記物理データチャネルを介して受信した前記信号系列の逆拡散処理を実行するステップと、
前記逆拡散処理によって出力された前記信号系列をHARQバッファに格納するステップと、
前記HARQバッファに格納された前記信号系列を用いて、前記合成処理を実行するステップと
を備える無線通信方法。
【請求項９】
物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信方法であって、
前記物理データチャネルを介して受信した前記信号系列のデインタリーブ処理を実行するステップ、
前記デインタリーブ処理によって出力された前記信号系列をHARQバッファに格納するステップと、
前記HARQバッファに格納された前記信号系列を用いて、前記合成処理を実行するステップと
を備える無線通信方法。
【請求項１０】
物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信方法であって、
デインタリーブ処理が実行された前記信号系列に対して、前記信号系列の繰り返し配置または穿孔の少なくとも何れかを含み、前記信号系列の符号化前のビット数に前記信号系列を合わせるデレートマッチングを実行するステップと、
前記デレートマッチングによって出力された前記信号系列、及び前記物理データチャネルの送信フォーマットを含む制御情報をHARQバッファに格納するステップと、
前記HARQバッファに格納された前記信号系列を用いて、前記合成処理を実行するステップと
を備え、
前記合成処理を実行するステップでは、所定の時間枠における信号系列の送信フォーマットである第１送信フォーマットと、前記所定の時間枠よりも前の時間枠における前記信号系列の送信フォーマットとである第２送信フォーマットとが異なる場合、
前記HARQバッファに格納されている前記信号系列に対して、前記第２送信フォーマットを用いて前記信号系列の符号化後のビット数に前記信号系列を合わせるレートマッチングを実行し、
前記レートマッチングが実行された前記信号系列を、前記所定の時間枠よりも前の時間枠において実行された前記デレートマッチング後の前記信号系列として、前記所定の時間枠において実行される前記デレートマッチング後の前記信号系列と前記合成処理を実行し、
前記第１送信フォーマットを用いて前記レートマッチングを実行する無線通信方法。
【発明の詳細な説明】
【技術分野】
【０００１】
本発明は、自動再送要求と、再送によって複数回受信した信号系列の合成処理とを含むハイブリッド自動再送要求を実行する無線通信装置及び無線通信方法に関する。
【背景技術】
【０００２】
Third Generation Partnership Project（3GPP）において標準化された上り方向の高速パケット通信技術であるEnhanced Uplink（EUL）では、無線基地局（Node B）と移動機（UE）との間において、ハイブリッド自動再送要求（HARQ）が用いられる（例えば、特許文献１）。
【０００３】
HARQは、自動再送要求（ARQ）と、誤り訂正とを組み合わせることによって信号系列（パケット）の再送回数を低減する。また、HARQでは、受信した信号系列が誤りを含む場合でも当該信号系列は破棄されない。当該信号系列は、再送された信号系列と合成される。
【０００４】
EULに従った処理を実行するNode B（無線通信装置）では、物理データチャネル、具体的には、Enhanced Dedicated Physical Data Channel（E-DPDCH）を介して受信され、デインタリーブされた信号系列に対して、さらにデレートマッチングが施される。デレートマッチングでは、当該信号系列の繰り返し配置（Repetition）や穿孔（Puncturing）などの動作を通じて、当該信号系列が、当該信号系列の符号化前のビット数に合わせられる。デレートマッチングが施された信号系列は、HARQバッファに格納される。
【特許文献１】特開２００７−１６６６４２号公報（第３−４頁）
【発明の開示】
【発明が解決しようとする課題】
【０００５】
しかしながら、上述した従来のHARQには、次のような問題があった。すなわち、デレートマッチングでは、E-DPDCHの送信フォーマットを示すE-DCH Transport Format Combination Indicator（E-TFCI）や、ARQに従ったデータの再送順序を示すRetransmission Sequence Number（RSN）が必要となる。
【０００６】
このため、物理制御チャネル、具体的には、Enhanced Dedicated Physical Control Channel（E-DPCCH）を介して送信されるE-TFCIやRSNの復号に誤りが生じると、E-DPDCHを介して受信した信号系列を正しく復号できず、HARQに従った処理において、複数回受信した信号系列を正しく合成できない問題が発生する。つまり、HARQによる伝送効率の向上には、更なる改善の余地があった。
【０００７】
そこで、本発明は、物理データチャネルを介して信号系列を受信する場合において、HARQによる伝送効率をさらに向上できる無線通信装置及び無線通信方法の提供を目的とする。
【課題を解決するための手段】
【０００８】
上述した問題を解決するため、本発明は、次のような特徴を有している。まず、本発明の第１の特徴は、物理データチャネル（E-DPDCH）を介して伝送される信号系列（信号系列Ｂ１）の送信元（移動機２００）に対して前記信号系列の再送を要求する自動再送要求と、前記再送に伴って複数回受信した前記信号系列の合成処理とを含むハイブリッド自動再送要求を実行する無線通信装置（無線基地局１００）であって、前記物理データチャネルを介して受信した前記信号系列の逆拡散処理を実行する逆拡散部（E-DPDCH逆拡散部１１３）と、前記逆拡散部から出力された前記信号系列を格納するHARQバッファ（HARQバッファ１２１）と、前記HARQバッファに格納された前記信号系列を用いて、前記合成処理を実行するHARQ制御部（HARQ制御部１２３）とを備えることを要旨とする。
【０００９】
このような無線通信装置によれば、HARQバッファには、デレートマッチング後ではなく、逆拡散部から出力された信号系列が格納される。このため、HARQバッファにおける信号系列の合成処理において、E-TFCIやRSNなどの制御情報が必要ない。
【００１０】
すなわち、このような無線通信装置によれば、E-TFCIやRSNなどの制御情報が誤っていても合成処理を正しく実行でき、HARQによる伝送効率をさらに向上できる。
【００１１】
本発明の第２の特徴は、本発明の第１の特徴に係り、前記逆拡散部は、物理制御チャネル（E-DPCCH）を介して受信した信号系列の逆拡散処理を実行する制御チャネル逆拡散部（E-DPCCH逆拡散部１０９）と、前記制御チャネル逆拡散部の出力側と接続され、前記物理制御チャネルを介して受信した前記信号系列の逆拡散処理の後において、前記物理データチャネルを介して受信した前記信号系列の逆拡散処理を、前記物理制御チャネルを介して受信した前記信号系列の一部を用いて実行するデータチャネル逆拡散部（E-DPDCH逆拡散部１１３）とを含み、前記HARQバッファは、前記データチャネル逆拡散部に入力される前の前記信号系列を格納することを要旨とする。
【００１２】
本発明の第３の特徴は、物理データチャネル（E-DPDCH）を介して伝送される信号系列（信号系列Ｂ１）の送信元（移動機２００）に対して前記信号系列の再送を要求する自動再送要求と、前記再送に伴って複数回受信した前記信号系列の合成処理とを含むハイブリッド自動再送要求を実行する無線通信装置（無線基地局１００）であって、前記物理データチャネルを介して受信した前記信号系列のデインタリーブ処理を実行するデインタリーブ処理部（デインタリーバ１１５）と、前記デインタリーブ処理部から出力された前記信号系列を格納するHARQバッファ（HARQバッファ１２１）と、前記HARQバッファに格納された前記信号系列を用いて、前記合成処理を実行するHARQ制御部（HARQ制御部１２３）とを備えることを要旨とする。
【００１３】
このような無線通信装置によれば、HARQバッファには、デレートマッチング後ではなく、デインタリーブ処理部から出力された信号系列が格納される。このため、HARQバッファにおける信号系列の合成処理において、E-TFCIやRSNなどの制御情報が必要ない。
【００１４】
すなわち、このような無線通信装置によれば、E-TFCIやRSNなどの制御情報が誤っていても合成処理を正しく実行でき、HARQによる伝送効率をさらに向上できる。
【００１５】
本発明の第４の特徴は、本発明の第３の特徴に係り、前記デインタリーブ処理部の出力側と接続され、前記デインタリーブ処理の後において、前記デインタリーブ処理が実行された前記信号系列に対して、前記信号系列の繰り返し配置または穿孔の少なくとも何れかを行うことによって、前記信号系列の符号化前のビット数に前記信号系列を合わせるデレートマッチングを実行するデレートマッチング部（デレートマッチング部１１７）を備え、前記HARQバッファは、前記デインタリーブ処理部から出力され、前記デレートマッチング部に入力される前の前記信号系列を格納することを要旨とする。
【００１６】
本発明の第５の特徴は、本発明の第３の特徴に係り、前記物理データチャネルを介して受信した前記信号系列の逆拡散処理を実行する逆拡散部（E-DPDCH逆拡散部１１３）を備え、前記逆拡散部は、前記デインタリーブ処理よりも前において前記逆拡散処理を実行し、前記HARQ制御部は、前記HARQバッファに格納されている、前記デインタリーブ処理部から出力され、前記デレートマッチング部に入力される前の前記信号系列の前記合成処理を実行することを要旨とする。
【００１７】
本発明の第６の特徴は、物理データチャネル（E-DPDCH）を介して伝送される信号系列（信号系列Ｂ１）の送信元（移動機２００）に対して前記信号系列の再送を要求する自動再送要求と、前記再送に伴って複数回受信した前記信号系列の合成処理とを含むハイブリッド自動再送要求を実行する無線通信装置（無線基地局１００）であって、デインタリーブ処理が実行された前記信号系列に対して、前記信号系列の繰り返し配置または穿孔の少なくとも何れかを行うことによって、前記信号系列の符号化前のビット数に前記信号系列を合わせるデレートマッチングを実行するデレートマッチング部（デレートマッチング部１１７）と、前記デレートマッチング部から出力された前記信号系列、及び前記物理データチャネルの送信フォーマット（E-TFCI）を含む制御情報（信号系列Ｂ２）を格納するHARQバッファ（HARQバッファ１２１）と、前記HARQバッファに格納された前記信号系列を用いて、前記合成処理を実行するHARQ制御部（HARQ制御部１２３）とを備え、前記HARQ制御部は、所定の時間枠（TTI）における信号系列の送信フォーマット（E-TFCI）である第１送信フォーマットと、前記所定の時間枠よりも前の時間枠における前記信号系列の送信フォーマットとである第２送信フォーマットとが異なる場合、前記HARQバッファに格納されている前記信号系列に対して、前記第２送信フォーマットを用いて前記信号系列の符号化後のビット数に、前記HARQバッファに格納されている前記信号系列を合わせるレートマッチングを実行し、前記レートマッチングが実行された前記信号系列を、前記所定の時間枠よりも前の時間枠において実行された前記デレートマッチング後の前記信号系列として、前記所定の時間枠において実行される前記デレートマッチング後の前記信号系列と前記合成処理を実行し、前記第１送信フォーマットを用いて前記レートマッチングを実行することを要旨とする。
【００１８】
このような無線通信装置によれば、所定の時間枠における信号系列の送信フォーマットである第１送信フォーマットと、所定の時間枠よりも前の時間枠における信号系列の送信フォーマットとである第２送信フォーマットとが異なる場合、HARQバッファに格納されている信号系列を、第２送信フォーマットを用いてデレートマッチングを実行することによって、所定の時間枠において当該信号系列と合成できる。このため、HARQバッファに格納された信号系列について、第１送信フォーマットよりも前に受信した第２送信フォーマットを用いてレートマッチングを実行することによって、再送された信号系列と、HARQバッファに格納されている信号系列との合成処理（Soft Combining）が可能となる。
【００１９】
すなわち、このような無線通信装置によれば、E-TFCIやRSNなどの制御情報が誤っていても合成処理を正しく実行でき、HARQによる伝送効率をさらに向上できる。
【００２０】
本発明の第７の特徴は、本発明の第６の特徴に係り、前記デレートマッチング部と接続され、前記デインタリーブ処理の後において、前記デレートマッチングが実行された前記信号系列を復号するチャネル復号部（チャネル復号部１１９）を備え、前記HARQバッファは、前記デレートマッチング部から出力され、前記チャネル復号部に入力される前の前記信号系列を格納することを要旨とする。
【００２１】
本発明の第８の特徴は、物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信方法であって、前記物理データチャネルを介して受信した前記信号系列の逆拡散処理を実行するステップと、前記逆拡散処理によって出力された前記信号系列をHARQバッファに格納するステップと、前記HARQバッファに格納された前記信号系列を用いて、前記合成処理を実行するステップとを備えることを要旨とする。
【００２２】
本発明の第９の特徴は、物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信方法であって、前記物理データチャネルを介して受信した前記信号系列のデインタリーブ処理を実行するステップ、前記デインタリーブ処理によって出力された前記信号系列をHARQバッファに格納するステップと、前記HARQバッファに格納された前記信号系列を用いて、前記合成処理を実行するステップとを備えることを要旨とする。
【００２３】
本発明の第１０の特徴は、物理データチャネルを介して伝送される信号系列の送信元に対して前記信号系列の再送を要求する自動再送要求と、前記再送に伴って複数回受信した前記信号系列の合成処理とを含むハイブリッド自動再送要求を実行する無線通信方法であって、デインタリーブ処理が実行された前記信号系列に対して、前記信号系列の繰り返し配置または穿孔の少なくとも何れかを含み、前記信号系列の符号化前のビット数に前記信号系列を合わせるデレートマッチングを実行するステップと、前記デレートマッチングによって出力された前記信号系列、及び前記物理データチャネルの送信フォーマットを含む制御情報をHARQバッファに格納するステップと、前記HARQバッファに格納された前記信号系列を用いて、前記合成処理を実行するステップとを備え、前記合成処理を実行するステップでは、再送を要求した信号系列の送信フォーマットである第１送信フォーマットと、再送された前記信号系列の送信フォーマットとである第２送信フォーマットとが異なる場合、前記HARQバッファに格納されている前記信号系列に対して、前記第２送信フォーマットを用いて前記信号系列の符号化後のビット数に前記信号系列を合わせるレートマッチングを実行し、前記レートマッチングが実行された前記信号系列を、前記所定の時間枠よりも前の時間枠において実行された前記デレートマッチング後の前記信号系列として、前記所定の時間枠において実行される前記デレートマッチング後の前記信号系列と前記合成処理を実行し、前記第１送信フォーマットを用いて前記レートマッチングを実行することを要旨とする。
【発明の効果】
【００２４】
本発明の特徴によれば、物理データチャネルを介して信号系列を受信する場合において、HARQによる伝送効率をさらに向上できる無線通信装置及び無線通信方法を提供できる。
【発明を実施するための最良の形態】
【００２５】
次に、本発明の実施形態について説明する。具体的には、第１実施形態〜第３実施形態、及びその他の実施形態について説明する。
【００２６】
なお、以下の図面の記載において、同一または類似の部分には、同一または類似の符号を付している。ただし、図面は模式的なものであり、各寸法の比率などは現実のものとは異なることに留意すべきである。
【００２７】
したがって、具体的な寸法などは以下の説明を参酌して判断すべきものである。また、図面相互間においても互いの寸法の関係や比率が異なる部分が含まれていることは勿論である。
【００２８】
［第１実施形態］
第１実施形態では、（１）無線通信装置を含むシステムの全体概略構成、（２）無線通信装置の機能ブロック構成、（３）無線通信装置の動作、及び（４）作用・効果について説明する。
【００２９】
（１）無線通信装置を含むシステムの全体概略構成
図１は、本実施形態に係る携帯電話システム１の全体概略構成図である。携帯電話システム１は、Third Generation Partnership Project（3GPP）によって作成された仕様、具体的には、Enhanced Uplink（EUL）に従っている。
【００３０】
携帯電話システム１には、無線ネットワーク制御装置５０、無線基地局１００及び移動機２００が含まれる。なお、携帯電話システム１に含まれる無線基地局及び移動機の数は、図１に示す数に限定されない。
【００３１】
無線ネットワーク制御装置５０（RNC）は、無線基地局１００（Node B）と移動機２００（UE）との無線通信に関する制御を実行する。
【００３２】
無線基地局１００は、移動機２００と符号分割多元接続（CDMA）方式などに従った無線通信を実行する。具体的には、無線基地局１００は、下り無線信号ＳＤＮを移動機２００に送信する。一方、移動機２００は、上り無線信号ＳＵＰを無線基地局１００に送信する。
【００３３】
上り無線信号ＳＵＰには、上り方向において用いられる複数の物理チャネルが多重される。具体的には、上り方向における物理制御チャネル（E-DPCCH）や物理データチャネル（E-DPDCH）が多重される。
【００３４】
無線基地局１００及び移動機２００では、ハイブリッド自動再送要求（HARQ）が用いられる。HARQは、E-DPDCHを介して伝送される信号系列Ｂ１（図１において不図示、図２参照）の送信元（移動機２００）に対して信号系列Ｂ１（具体的にはパケット）の再送を要求する自動再送要求（ARQ）と、当該再送に伴って複数回受信した信号系列Ｂ１の合成処理とを含む。
【００３５】
（２）無線通信装置の機能ブロック構成
図２は、本実施形態において無線通信装置を構成する無線基地局１００の機能ブロック構成図である。図２に示すように、無線基地局１００は、アンテナ１０１、低雑音増幅部１０３、自動利得制御部１０５、直交検波部１０７、E-DPCCH逆拡散部１０９、E-DPCCH信号推定部１１１、E-DPDCH逆拡散部１１３、デインタリーバ１１５、デレートマッチング部１１７、チャネル復号部１１９、HARQバッファ１２１及びHARQ制御部１２３を備える。
【００３６】
アンテナ１０１、低雑音増幅部１０３、自動利得制御部１０５及び直交検波部１０７は、EULの規格に従った所定の機能を提供する。低雑音増幅部１０３、自動利得制御部１０５及び直交検波部１０７が提供する機能は、従来の無線基地局と同様であるため省略する。
【００３７】
E-DPCCH逆拡散部１０９は、E-DPCCHを介して受信した信号系列、具体的には信号系列Ｂ２（制御情報）を含む上り無線信号ＳＵＰの逆拡散処理を実行する。E-DPCCH逆拡散部１０９は、受信した上り無線信号ＳＵＰの拡散符号と、無線基地局１００が有する拡散符号のレプリカを同期させて逆拡散する。E-DPCCH逆拡散部１０９は、上り無線信号ＳＵＰを逆拡散することによって、伝搬遅延時間の異なる複数のパスに分離する。
【００３８】
E-DPCCH信号推定部１１１は、E-DPCCH逆拡散部１０９によって分離されたパス毎にパイロットシンボルを用いてチャネル推定を実行する。
【００３９】
また、E-DPCCH信号推定部１１１は、E-DPCCHを介して受信した信号系列を復号し、信号系列Ｂ２の内容を取得する。図６は、信号系列Ｂ２（E-DPCCH）の構成を示す。図６に示すように、信号系列Ｂ２は、Happyビット１１、RSN１２、及びE-TFCI１３によって構成される。
【００４０】
E-DPCCH信号推定部１１１は、E-TFCI１３の内容に基づいて、拡散符号の拡散率（SF）をE-DPDCH逆拡散部１１３に通知する。また、E-DPCCH信号推定部１１１は、ARQに従ったデータの再送順序を示すRSN１２及びE-DPDCHの送信フォーマットを示すE-TFCI１３をデレートマッチング部１１７に通知する。
【００４１】
E-DPDCH逆拡散部１１３は、E-DPDCHを介して受信した信号系列Ｂ１、具体的にはユーザデータなどを含む上り無線信号ＳＵＰの逆拡散処理を実行する。E-DPDCH逆拡散部１１３は、E-DPCCH逆拡散部１０９の出力側、つまり、E-DPCCHを介して受信した信号系列の逆拡散処理後の出力と接続される。E-DPDCH逆拡散部１１３は、E-DPCCHを介して受信した信号系列Ｂ２の逆拡散処理の後において、HARQバッファ１２１に格納されている信号系列Ｂ１の逆拡散処理を、E-DPCCHを介して受信した信号系列Ｂ２の一部（具体的には、拡散率）を用いて実行する。
【００４２】
本実施形態において、E-DPCCH逆拡散部１０９は、制御チャネル逆拡散部を構成し、E-DPDCH逆拡散部１１３は、データチャネル逆拡散部を構成する。また、本実施形態では、E-DPCCH逆拡散部１０９とE-DPDCH逆拡散部１１３とによって逆拡散部が構成される。E-DPCCH逆拡散部１０９及びE-DPDCH逆拡散部１１３は、デインタリーバ１１５によるデインタリーブ処理よりも前において逆拡散処理を実行する。
【００４３】
デインタリーバ１１５は、E-DPCCH及びE-DPDCHを介して受信した信号系列（信号系列Ｂ１及び信号系列Ｂ２）のデインタリーブ処理を実行する。本実施形態において、デインタリーバ１１５は、デインタリーブ処理部を構成する。
【００４４】
デレートマッチング部１１７は、デインタリーバ１１５においてデインタリーブ処理が実行された信号系列に対して、当該信号系列の繰り返し配置（Repetition）や穿孔（Puncturing）を行うことによって、当該信号系列の符号化前のビット数に当該信号系列を合わせるデレートマッチングを実行する。具体的には、デレートマッチング部１１７は、デインタリーバ１１５の出力側と接続され、デインタリーブ処理の後において、デインタリーブ処理が実行された信号系列のデレートマッチングを実行する。
【００４５】
チャネル復号部１１９は、デレートマッチング部１１７から出力された信号系列のチャネル復号を実行し、信号を再生する。
【００４６】
HARQバッファ１２１は、送信元（移動機２００）から送信された信号系列を格納する。格納された信号系列は、HARQに従った処理に用いられる。本実施形態では、HARQバッファ１２１は、E-DPCCH逆拡散部１０９から出力され、E-DPDCH逆拡散部１１３に入力される前の信号系列Ｂ１（ユーザデータなどを含むパケット）を格納する。HARQバッファ１２１は、HARQ制御部１２３による制御に基づいて、再送を含めて複数回受信した信号系列を合成（Soft Combining）した信号を出力する。
【００４７】
HARQ制御部１２３は、HARQに従った処理を実行する。具体的には、HARQ制御部１２３は、受信した信号系列Ｂ１のＣＲＣに基づく誤りの判定、及び当該誤りの訂正を実行する。HARQ制御部１２３は、受信した信号系列Ｂ１が誤りを含む場合でも破棄せずにHARQバッファ１２１に格納するとともに、誤りを含む信号系列Ｂ１の再送を送信元に対して要求する。
【００４８】
HARQ制御部１２３は、再送された信号系列Ｂ１と、HARQバッファ１２１に格納しておいた信号系列Ｂ１との合成処理を実行する。HARQ制御部１２３は、合成した信号系列Ｂ１を用いてＣＲＣに基づく誤りの判定を再度実行する。
【００４９】
（３）無線通信装置の動作
次に、無線基地局１００（無線通信装置）の動作について説明する。図３は、本実施形態に係る無線基地局１００の受信動作フローを示す。
【００５０】
図３に示すように、ステップＳ１０において、無線基地局１００は、E-DPCCHを介して受信した信号系列を復号し、信号系列Ｂ２の内容、具体的には、RSN１２及びE-TFCI１３（SFを含む）を確定する。なお、E-TFCI１３と拡散率（SF）とは、一対一で対応していない。つまり、複数のE-TFCI１３が、同一の拡散率（SF）を用いる場合がある。
【００５１】
ステップＳ２０において、無線基地局１００は、E-DPDCHを介して受信した逆拡散処理前の信号系列Ｂ１と、HARQバッファ１２１に格納されている信号系列Ｂ１との合成処理を実行する。
【００５２】
ステップＳ３０において、無線基地局１００は、当該TTI（Transmission Time Interval）において受信した拡散率（SF）を用いてHARQバッファ１２１に格納されている信号系列Ｂ１の逆拡散処理を実行する。
【００５３】
ステップＳ４０において、無線基地局１００は、E-DPDCHを介して受信した信号系列Ｂ１のデインタリーブ処理を実行する。
【００５４】
ステップＳ５０において、無線基地局１００は、E-DPDCHを介して受信した信号系列Ｂ１のデレートマッチングを実行する。
【００５５】
なお、送信元（移動機２００）におけるレートマッチングの方法は、E-TFCI（E-TBS）毎に一対一に対応付けられているため、誤ったE-TFCIを用いた場合、受信した信号系列Ｂ１を正しく元に戻すこと（デレートマッチングすること）は不可能である。
【００５６】
ステップＳ６０において、無線基地局１００は、伝送レートのデレートマッチングが実行された信号系列Ｂ１のチャネル復号を実行し、信号を再生する。
【００５７】
ステップＳ７０において、無線基地局１００は、受信した信号系列Ｂ１のＣＲＣに基づく誤りの判定、及び当該誤りの訂正を実行する。
【００５８】
（４）作用・効果
本実施形態に係る無線基地局１００によれば、HARQバッファ１２１には、デレートマッチング後ではなく、E-DPCCH逆拡散部１０９から出力された信号系列Ｂ１が格納される。このため、HARQバッファ１２１における信号系列Ｂ１の合成処理において、RSN１２やE-TFCI１３が必要ない。
【００５９】
また、本実施形態では、HARQバッファ１２１には、E-DPCCH逆拡散部１０９から出力され、E-DPDCH逆拡散部１１３に入力される前の信号系列Ｂ１が格納される。このため、E-DPDCHを介して受信した信号系列Ｂ１の逆拡散処理前に合成処理が実行されるため、信号系列Ｂ１の拡散率（SF）も必要ない。
【００６０】
すなわち、無線基地局１００によれば、信号系列Ｂ１の初回受信時にRSN１２やE-TFCI１３が誤っていても合成処理を正しく実行でき、HARQによる伝送効率をさらに向上できる。
【００６１】
なお、デレートマッチング後の信号系列Ｂ１を用いて信号系列Ｂ１の合成処理が実行される従来の無線通信装置では、E-DPCCHを介して受信した信号系列Ｂ２（RSN１２及びE-TFCI１３）の復号結果が誤っていた場合、誤った信号系列Ｂ１がHARQバッファ１２１に格納されるため、HARQによる伝送効率の改善が図られない。
【００６２】
［第２実施形態］
次に、本発明の第２実施形態について説明する。第１実施形態では、HARQバッファ１２１は、E-DPCCH逆拡散部１０９から出力された信号系列を格納したが、本実施形態では、HARQバッファ１２１は、デインタリーバ１１５から出力された信号系列を格納する。以下、上述した第１実施形態と異なる部分について主に説明する。
【００６３】
（１）無線通信装置の機能ブロック構成
本実施形態に係る無線基地局１００（無線通信装置）では、HARQバッファ１２１が設けられる位置が変更されている。図２において点線で示すように、HARQバッファ１２１は、デインタリーバ１１５から出力された信号系列を格納する。具体的には、HARQバッファ１２１は、デインタリーバ１１５から出力され、デレートマッチング部１１７に入力される前の信号系列Ｂ１を格納する。
【００６４】
また、HARQ制御部１２３は、HARQバッファ１２１に格納されている、デインタリーバ１１５から出力され、デレートマッチング部１１７に入力される前の信号系列Ｂ１と、HARQバッファ１２１に格納しておいた信号系列Ｂ１との合成処理を実行する。
【００６５】
（２）無線通信装置の動作
図４は、本実施形態に係る無線基地局１００の受信動作フローを示す。ステップＳ１１０の処理は、図３に示したステップＳ１０の内容と同様である。
【００６６】
ステップＳ１２０において、無線基地局１００は、E-DPDCHを介して受信した信号系列Ｂ１の逆拡散処理を実行する。
【００６７】
ステップＳ１３０において、無線基地局１００は、E-DPDCHを介して受信した信号系列Ｂ１のデインタリーブ処理を実行する。
【００６８】
ステップＳ１４０において、無線基地局１００は、デインタリーブ処理後の信号系列Ｂ１と、HARQバッファ１２１に格納されている信号系列Ｂ１との合成処理を実行する。
【００６９】
ステップＳ１５０において、無線基地局１００は、HARQバッファ１２１に格納されている信号系列Ｂ１のデレートマッチング、具体的には伝送レートのデレートマッチングを実行する。
【００７０】
ステップＳ１６０及びＳ１７０の処理は、図３に示したステップＳ６０及びステップＳ７０の内容と同様である。
【００７１】
（３）作用・効果
本実施形態に係る無線基地局１００によれば、HARQバッファ１２１には、デレートマッチング後ではなく、デインタリーバ１１５から出力された信号系列Ｂ１が格納される。このため、HARQバッファ１２１における信号系列の合成処理において、RSN１２やE-TFCI１３が必要ない。
【００７２】
すなわち、無線基地局１００によれば、信号系列Ｂ１の初回受信時にRSN１２やE-TFCI１３が誤っていても、拡散率（SF）が正しければ合成処理を正しく実行でき、HARQによる伝送効率をさらに向上できる。
【００７３】
［第３実施形態］
次に、本発明の第３実施形態について説明する。第１実施形態では、HARQバッファ１２１は、E-DPCCH逆拡散部１０９から出力された信号系列を格納したが、本実施形態では、HARQバッファ１２１は、デレートマッチング部１１７から出力された信号系列を格納する。以下、上述した第１実施形態と異なる部分について主に説明する。
【００７４】
（１）無線通信装置の機能ブロック構成
本実施形態に係る無線基地局１００（無線通信装置）では、HARQバッファ１２１が設けられる位置が変更されている。図２において一点鎖線で示すように、HARQバッファ１２１は、デレートマッチング部１１７から出力された信号系列を格納する。具体的には、HARQバッファ１２１は、デレートマッチング部１１７から出力された信号系列Ｂ１を格納する。つまり、本実施形態に係るHARQバッファ１２１の位置は、従来の無線基地局などの無線通信装置と同様である。
【００７５】
さらに、HARQバッファ１２１は、信号系列Ｂ２（制御情報）を信号系列Ｂ１とともに格納する。具体的には、HARQバッファ１２１は、RSN１２及びE-TFCI１３（図６参照）を信号系列Ｂ１とともに格納する。
【００７６】
また、HARQ制御部１２３は、信号系列Ｂ１の合成処理を実行する特定のTTI（所定の時間枠）における信号系列Ｂ１のE-TFCI１３（第１送信フォーマット）と、HARQバッファ１２１に格納されている信号系列Ｂ１のE-TFCI１３（第２送信フォーマット）とが異なる場合、HARQバッファ１２１に格納されている信号系列Ｂ１に対して、第２送信フォーマットを用いて信号系列Ｂ１の符号化後のビット数に、HARQバッファ１２１に格納されている信号系列Ｂ１を合わせるレートマッチングを実行する。
【００７７】
また、HARQ制御部１２３は、レートマッチングが実行された信号系列Ｂ１を、特定のTTIよりも前のTTIにおいて実行されたデレートマッチング後の信号系列として、当該特定のTTIにおいて実行されるデレートマッチング後の信号系列と合成処理を実行する。さらに、HARQ制御部１２３は、第１送信フォーマットを用いてレートマッチングを実行する。
【００７８】
つまり、HARQバッファ１２１には、信号系列Ｂ１の合成処理を実行する特定のTTIよりも前、例えば、直前のTTIにおいて受信した信号系列Ｂ１のE-TFCI１３が格納されている。HARQ制御部１２３は、信号系列Ｂ１の合成処理を実行する特定のTTIにおけるE-TFCI１３と、HARQバッファ１２１に格納されているE-TFCI１３とが異なる場合、HARQバッファに格納されているE-TFCI１３を用いて、上述した信号系列Ｂ１のレートマッチングや合成処理を実行する。
【００７９】
図７は、本実施形態に係るHARQバッファ１２１の動作説明図である。図７に示すように、HARQバッファ１２１には、RSN１２及びE-TFCI１３（＃１）が、複数の信号系列Ｂ１とともに格納される。HARQバッファ１２１には、例えば、初回に受信した信号系列Ｂ１のRSN１２及びE-TFCI１３が格納される。
【００８０】
初回に受信した信号系列Ｂ１が誤りを含んでいるために再送された信号系列Ｂ１のE-TFCI１３（＃０）がHARQバッファ１２１に格納されているE-TFCI１３（＃１）と異なる場合、HARQ制御部１２３は、HARQバッファに格納されているE-TFCI１３（＃１）を用いて信号系列Ｂ１のレートマッチングや合成処理を実行する。
【００８１】
（２）無線通信装置の動作
図５は、本実施形態に係る無線基地局１００の受信動作フローを示す。ステップＳ２１０の処理は、図３に示したステップＳ１０の内容と同様である。
【００８２】
ステップＳ２２０において、無線基地局１００は、当該TTI、つまり、信号系列Ｂ１の合成処理を実行するTTIにおいて受信したE-TFCIが前のTTIにおいて受信したE-TFCIと同一か否かを判定する。
【００８３】
E-TFCIが同一でない場合（ステップＳ２２０のＮＯ）、ステップＳ２３０において、無線基地局１００は、前のTTIにおいて受信、つまり、HARQバッファ１２１に格納されているE-TFCI及びRSNを用いて、HARQバッファに格納されている信号系列Ｂ１のレートマッチングを実行する。
【００８４】
ステップＳ２４０において、無線基地局１００は、当該TTI（信号系列Ｂ１の合成処理を実行するTTI）において受信したE-TFCI及びRSNを用いて、当該TTIにおいて受信した信号系列Ｂ１のデレートマッチング、具体的には伝送レートのデレートマッチングを実行する。
【００８５】
ステップＳ２５０において、無線基地局１００は、HARQバッファ１２１に格納されている信号系列Ｂ１を消去し、ステップＳ２４０におけるデレートマッチング後の信号系列Ｂ１をHARQバッファ１２１に格納する。
【００８６】
E-TFCIが同一である場合（ステップＳ２２０のＹＥＳ）、またはステップＳ２５０の処理の後、ステップＳ２６０において、無線基地局１００は、当該TTI（Transmission Time Interval）において受信した拡散率（SF）を用いて、E-DPDCHを介して受信した信号系列Ｂ１の逆拡散処理を実行する。
【００８７】
ステップＳ２７０において、無線基地局１００は、E-DPDCHを介して受信した信号系列Ｂ１のデインタリーブ処理を実行する。
【００８８】
ステップＳ２８０において、無線基地局１００は、当該TTIにおいて受信したE-TFCI及びRSNを用いて、E-DPDCHを介して受信した信号系列Ｂ１の逆拡散処理を実行する。
【００８９】
ステップＳ２９０において、無線基地局１００は、デレートマッチング後の信号系列Ｂ１と、HARQバッファ１２１に格納されている信号系列Ｂ１との合成処理を実行する。
【００９０】
ステップＳ３００において、無線基地局１００は、HARQバッファ１２１内の信号系列Ｂ１を用いてチャネル復号を実行し、信号を再生する。
【００９１】
ステップＳ３１０において、無線基地局１００は、無線基地局１００は、受信した信号系列Ｂ１のＣＲＣに基づく誤りの判定、及び当該誤りの訂正を実行する。
【００９２】
（３）作用・効果
本実施形態に係る無線基地局１００によれば、信号系列Ｂ１の合成処理を実行する特定のTTIにおける信号系列のE-TFCI１３と、当該TTIよりも前のTTIにおける信号系列Ｂ１のE-TFCI１３とが異なる場合、HARQバッファ１２１に格納されているE-TFCI１３を用いて合成処理が実行される。このため、HARQバッファ１２１に格納された信号系列Ｂ１について、信号系列Ｂ１の合成処理を実行する特定のTTIよりも前に受信したE-TFCI１３を用いてレートマッチングを実行することによって、再送された信号系列Ｂ１と、HARQバッファ１２１に格納されている信号系列Ｂ１との合成処理（Soft Combining）が可能となる。
【００９３】
すなわち、無線基地局１００によれば、E-TFCIやRSNなどの制御情報が誤っていても合成処理を正しく実行でき、HARQによる伝送効率をさらに向上できる。
【００９４】
［その他の実施形態］
上述したように、本発明の第１実施形態〜第３実施形態を通じて本発明の内容を開示したが、この開示の一部をなす論述及び図面は、本発明を限定するものであると理解すべきではない。この開示から当業者には様々な代替実施の形態が明らかとなろう。
【００９５】
例えば、上述した第１実施形態〜第３実施形態では、EULに従った携帯電話システム１を例として説明したが、本発明の適用範囲は、EULに限定されない。例えば、ＨＳＤＰＡなど、下り方向において本発明を適用してもよい。つまり、移動機２００が、上述した無線基地局１００と同様の機能を有しても構わない。
【００９６】
上述した第３実施形態では、信号系列Ｂ１の合成処理を実行する特定のTTIよりも前、具体的には、直前のTTIにおいて受信した信号系列Ｂ１のE-TFCI１３であり、HARQバッファ１２１に格納されているE-TFCI１３が、信号系列Ｂ１の合成処理を実行する特定のTTIにおけるE-TFCI１３と異なる場合について説明したが、比較対象とするTTIは、必ずしも信号系列Ｂ１の合成処理を実行するTTIの直前のTTIでなくても構わない。例えば、予め規定された個数前のTTIとしてもよい。
【００９７】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００９８】
【図１】本発明の実施形態に係る携帯電話システム１の全体概略構成図である。
【図２】本発明の実施形態に係る無線通信装置を構成する無線基地局１００の機能ブロック構成図である。
【図３】本発明の第１実施形態に係る無線基地局１００の受信動作フローを示す図である。
【図４】本発明の第２実施形態に係る無線基地局１００の受信動作フローを示す図である。
【図５】本発明の第３実施形態に係る無線基地局１００の受信動作フローを示す図である。
【図６】本発明の実施形態に係る信号系列Ｂ２（E-DPCCH）の構成を示す図である。
【図７】本発明の第３実施形態に係るHARQバッファ１２１の動作説明図である。
【符号の説明】
【００９９】
１…携帯電話システム、１１…Happyビット、１２…RSN、１３…E-TFCI、５０…無線ネットワーク制御装置、１００…無線基地局、１０１…アンテナ、１０３…低雑音増幅部、１０５…自動利得制御部、１０７…直交検波部、１０９…E-DPCCH逆拡散部、１１１…E-DPCCH信号推定部、１１３…E-DPDCH逆拡散部、１１５…デインタリーバ、１１７…デレートマッチング部、１１９…チャネル復号部、１２１…HARQバッファ、１２３…HARQ制御部、２００…移動機、Ｂ１，Ｂ２…信号系列、ＳＤＮ…下り無線信号、ＳＵＰ…上り無線信号
【図１】
2010147865.tif 000003
【図２】
2010147865.tif 000004
【図３】
2010147865.tif 000005
【図４】
2010147865.tif 000006
【図５】
2010147865.tif 000007
【図６】
2010147865.tif 000008
【図７】
2010147865.tif 000009